(57)【要約】【課題】家庭で手軽に酸素浴がなし得る住宅構造を提供することを目的とし、さらに浴槽の排水も有効活用できる住宅構造をも提供する。【解決手段】浴槽Ｂからの排水を電気分解する電気分解装置３と、電気分解装置３により生成された酸素を貯蔵する酸素貯蔵設備４と、電気分解装置３により生成された水素を貯蔵する水素貯蔵設備５と、酸素貯蔵設備４からの酸素が送給される酸素利用設備８と、水素貯蔵設備５から送給される水素を利用する燃料電池６とを備えてなる住宅構造Ｋである。【選択図】図１
2014070228.tif 000002
【特許請求の範囲】
【請求項１】
水を電気分解する電気分解装置と、前記電気分解装置により生成された酸素を貯蔵する酸素貯蔵設備と、前記電気分解装置により生成された水素を貯蔵する水素貯蔵設備と、前記酸素貯蔵設備からの酸素が送給される酸素利用設備と、前記水素貯蔵設備から送給される水素を利用する燃料電池とを備えてなることを特徴とする住宅構造。
【請求項２】
電気分解装置に浴槽からの排水が送給されるようにされてなることを特徴とする請求項１記載の住宅構造。
【請求項３】
酸素利用設備が、浴室、酸素浴室、酸素シャワー室、または酸素シャワー設備とされてなることを特徴とする請求項１または２記載の住宅構造。
【請求項４】
酸素シャワー設備が、玄関、居間または寝室に配設されてなることを特徴とする請求項３記載の住宅構造。
【請求項５】
太陽電池が備えられてなることを特徴とする請求項１記載の住宅構造。
【請求項６】
蓄電設備が備えられてなることを特徴とする請求項１または５記載の住宅構造。
【請求項７】
メタンを含有するガスを水蒸気改質して水素を生成する改質装置を備え、
前記改質装置により改質されたガスが燃料電池に送給されるようにされてなることを特徴とする請求項１記載の住宅構造。
【請求項８】
給湯設備を備え、
前記給湯設備に燃料電池からの排ガスが送給されるようにされてなることを特徴とする請求項１または７記載の住宅構造。
【請求項９】
植物栽培ユニットを備え、
前記植物栽培ユニットに給湯設備からの排ガスが送給されるようにされてなることを特徴とする請求項８記載の住宅構造。
【請求項１０】
植物栽培ユニットからの酸素リッチの空気が室内に供給されるようにされてなることを特徴とする請求項９記載の住宅構造。
【請求項１１】
植物栽培ユニットが住宅内に配設されてなることを特徴とする請求項９または１０記載の住宅構造。
【請求項１２】
改質装置に浴槽からの排水が送給されるようにされてなることを特徴とする請求項７記載の住宅構造。
【請求項１３】
蓄電設備に燃料電池からの電力が供給されるようにされてなることを特徴とする請求項６記載の住宅構造。
【請求項１４】
蓄電設備に太陽電池からの電力が供給されるようにされてなることを特徴とする請求項５または６記載の住宅構造。
【請求項１５】
メタンを含有するガスが都市ガスとされてなることを特徴とする請求項７記載の住宅構造。
【発明の詳細な説明】
【技術分野】
【０００１】
本発明は住宅構造に関する。さらに詳しくは、家庭で手軽に酸素浴がなし得る住宅構造に関する。
【背景技術】
【０００２】
従来より、戸建住宅やマンションにおいては、風呂いわゆる内風呂が標準となっている。この風呂で使用された温水の大部分は下水に放水されている。つまり、貴重な水資源が有効に活用されていない。
【０００３】
また、近年の産業の発展および車社会の到来により大気中の酸素が大量に消費される一方、砂漠化の進展により植物から供給される酸素量が減少し、大気中の酸素濃度が低下してきている。そのため、現代人は一種の酸素欠乏症に陥っている。
【０００４】
なお、水を電気分解して得られた酸素により酸素浴をなす技術については、特許文献１に提案がなされている。
【先行技術文献】
【特許文献】
【０００５】
【特許文献１】特許第４８４０９９９号公報
【発明の開示】
【発明が解決しようとする課題】
【０００６】
本発明はかかる従来技術の課題に鑑みなされたものであって、家庭で手軽に酸素浴がなし得る住宅構造を提供することを目的とし、さらに浴槽の排水も有効活用できる住宅構造をも提供することを目的としている。
【課題を解決するための手段】
【０００７】
本発明の住宅構造は、水を電気分解する電気分解装置と、前記電気分解装置により生成された酸素を貯蔵する酸素貯蔵設備と、前記電気分解装置により生成された水素を貯蔵する水素貯蔵設備と、前記酸素貯蔵設備からの酸素が送給される酸素利用設備と、前記水素貯蔵設備から送給される水素を利用する燃料電池とを備えてなることを特徴とする。
【０００８】
本発明の住宅構造においては、電気分解装置に浴槽からの排水が送給されるようにされてなるのが好ましい。
【０００９】
また、本発明の住宅構造においては、酸素利用設備が、浴室、酸素浴室、酸素シャワー室、または酸素シャワー設備とされてなるのが好ましく、酸素シャワー設備が、玄関、居間または寝室に配設されてなるのがさらに好ましい。
また、本発明の住宅構造においては、太陽電池が備えられていたり、蓄電設備が備えられていたりするのが好ましい。
【００１０】
また、本発明の住宅構造においては、メタンを含有するガスを水蒸気改質して水素を生成する改質装置を備え、前記改質装置により改質されたガスが燃料電池に送給されるようにされてなるのが好ましい。
【００１１】
また、本発明の住宅構造においては、給湯設備を備え、前記給湯設備に燃料電池からの排ガスが送給されるようにされてなるのがさらに好ましい。
【００１２】
また、本発明の住宅構造においては、植物栽培ユニットを備え、前記植物栽培ユニットに給湯設備からの排ガスが送給されるようにされてなるのが好ましい。
【００１３】
また、本発明の住宅構造においては、植物栽培ユニットからの酸素リッチの空気が室内に供給されるようにされてなるのが好ましく、植物栽培ユニットが住宅内に配設されてなるのがさらに好ましい。
【００１４】
また、本発明の住宅構造においては、改質装置に浴槽からの排水が送給されるようにされてなるのが好ましい。
【００１５】
また、本発明の住宅構造においては、蓄電設備に燃料電池からの電力が供給されるようにされていたり、蓄電設備に太陽電池からの電力が供給されるようにされていたりするのが好ましい。
【００１６】
また、本発明の住宅構造においては、メタンを含有するガスが、例えば、都市ガスとされる。
【発明の効果】
【００１７】
本発明は前記の如く構成されているので、家庭で手軽に酸素浴がなし得るという優れた効果を奏する。
【００１８】
また、浴槽の排水を電気分解する本発明の好ましい形態は、水資源の有効活用が図られるという優れた効果を奏する。
【図面の簡単な説明】
【００１９】
【図１】本発明の実施形態１に係る住宅構造のブロック図である。
【図２】本発明の実施形態２に係る住宅構造のブロック図である。
【発明を実施するための形態】
【００２０】
以下、添付図面を参照しながら本発明を実施形態に基づいて説明するが、本発明はかかる実施形態のみに限定されるものではない。
【００２１】
実施形態１
図１に、本発明の実施形態１に係る住宅構造Ｋをブロック図で示す。
【００２２】
住宅構造Ｋは、図１に示すように、太陽電池１と、蓄電設備２と、電気分解装置３と、酸素用コンプレッサ４ａと、酸素貯蔵設備４と、水素用コンプレッサ５ａと、水素貯蔵設備５と、燃料電池６と、給湯設備７と、酸素利用設備８とを主要構成要素として備えてなるものとされる。
【００２３】
蓄電設備２には、太陽電池１で発電された電力の他、燃料電池６で発電された電力も供給されるようにされている。なお、当然のことながら、商用電源からの電力も供給されるようにされている。
【００２４】
電気分解装置３は、浴槽Ｂの排水が供給されて電気分解がなされるものとされる。電気分解により生成された酸素は、酸素用コンプレッサ４ａを介して酸素貯蔵設備４に送給される一方、電気分解により生成された水素は、水素用コンプレッサ５ａを介して水素貯蔵設備５に送給される。
【００２５】
酸素貯蔵設備４に貯蔵された酸素は、必要に応じて浴室８ａ、酸素浴室８ｂ、酸素シャワー室８ｃ、酸素シャワー設備８ｄなどの酸素利用設備８に送給される。酸素シャワー設備８ｄは、玄関、居間、寝室などに設置される。
一方、水素貯蔵設備５に貯蔵された水素は、必要に応じて燃料電池６に送給される。
【００２６】
燃料電池６は、供給された水素および別途供給される空気中の酸素を利用して発電を行う。発電された電力は蓄電設備２に供給される一方、高温排ガスは給湯設備７に送給される。
【００２７】
給湯設備７により生成された温水は、台所や浴室８ａなどに送給される。
【００２８】
このように、本実施形態によれば、従来ほとんど利用されていなかった浴槽Ｂの排水の有効利用が図られる。
【００２９】
また、排水を電気分解して得られた酸素を、浴室８ａ、酸素浴室８ｂ、酸素シャワー室８ｃ、酸素シャワー設備８ｄなどの酸素利用設備８に供給するようにしているので、現代人の酸素不足を家庭で手軽に解消できる。
【００３０】
実施形態２
図２に、本発明の実施形態２に係る住宅構造Ｋをブロック図で示す。
【００３１】
実施形態２は実施形態１を改変してなるものであって、水素の生成をメタン含有ガス、例えば都市ガスの水蒸気改質によってもなすものとされ、かつ、燃料電池６からの炭酸ガスリッチの排ガスは植物栽培ユニットＵに送給されるようにされてなるものとされる。
【００３２】
すなわち、実施形態２は、図２に示すように、改質装置１１と、植物栽培ユニットＵとを付加的に備えてなるものとされる。なお、実施形態２のその余の構成は実施形態１と同様とされている。
【００３３】
水蒸気改質装置１１には、浴槽Ｂの排水および都市ガスが供給され、生成された二酸化炭素を含む水素ガスは燃料電池６に送給される。
【００３４】
燃料電池６からの高温排ガスは、給湯設備７に送給された後に植物栽培ユニットＵに送給される一方、植物栽培ユニットＵにより生成された酸素リッチの空気は、例えば浴室８ａや寝室に送給される。
【００３５】
このように、本実施形態では都市ガスを水蒸気改質して得られた水素も燃料電池６に供給するようにされているので、実施形態１に比して燃料電池６による発電量の増大が図られるという実施形態１では得られない効果も得られる。
【００３６】
また、炭酸ガスリッチのガスが植物栽培ユニットＵに供給されるようにされているので、植物栽培ユニットＵにおける光合成が促進されて植物の栽培が促進される。
【産業上の利用可能性】
【００３７】
本発明は住宅産業に適用できる。
【符号の説明】
【００３８】
Ｋ      住宅構造
Ｂ      浴槽
Ｕ      植物栽培ユニット
１      太陽電池
２      蓄電設備
３      電気分解装置
４      酸素貯蔵設備
５      水素貯蔵設備
６      燃料電池
７      給湯設備
８      酸素利用設備
１１      改質装置
【図１】
2014070228.tif 000003
【図２】
2014070228.tif 000004